(57)【特許請求の範囲】
【請求項１】
機器筐体内に、使用しないアンテナリードを収納する、接地されたシールドガスケットを設けたことを特徴とする電子機器。
【請求項２】
機器筐体内に、使用しないアンテナリードを収納するシールドガスケットを設け、当該シールドガスケットにより、収納したアンテナリードを接地電位に保持することを特徴とする電子機器。
【請求項３】
前記シールドガスケットは、接地電位に保たれた可撓性の導電部材、若しくは接地電位に保たれた金属箔皮膜を有する弾性部材により構成される請求項１または２記載の電子機器。
【請求項４】
前記機器筐体は、複数のアンテナを実装した表示部筐体と、複数の無線ユニットが実装可能な無線ユニットの収納部とを備え、前記無線ユニットの収納部内に前記シールドガスケットを設けて、前記無線ユニットに接続されないアンテナリードを前記シールドガスケットに保持することを特徴とする請求項３記載の電子機器。
【請求項５】
前記アンテナリードは、一端が前記アンテナに接続され、他端が前記無線ユニットの収納部内に導かれて、前記無線ユニットの収納部内に導かれた前記アンテナリードの他端に前記無線ユニットに接続する接続端子が設けられ、前記接続端子が前記無線ユニットに接続されないとき、当該接続端子を設けたアンテナリード、若しくは当該接続端子および当該接続端子を設けたアンテナリードが前記シールドガスケットに保持される請求項４記載の電子機器。
【請求項６】
前記シールドガスケットは、前記アンテナリード、若しくは前記アンテナリードおよび前記接続端子を前記機器筐体内の定位置に保持する保持溝を有する請求項５記載の電子機器。
【発明の詳細な説明】
【０００１】
【発明の属する技術分野】
本発明は、アンテナ素子を定位置に配し、当該アンテナを用いる、例えばＢｌｕｅｔｏｏｔｈデバイス、ワイヤレスＬＡＮデバイス等の無線ユニットを収納部内に収納自在とした、パーソナルコンピュータ、携帯型情報端末等の電子機器に関する。
【０００２】
【従来の技術】
近年、パーソナルコンピュータ等のプロセッサ搭載機器に於いては、処理スピードの向上に伴ってＣＰＵクロック周波数をはじめ各種信号の周波数が著しく上昇し、これに伴い、より不要な電磁波を放射し易いシステム環境となっている。また外来雑音の影響を受けやすい環境にもなってきている。
【０００３】
このようなことから無線通信機能をもつパーソナルコンピュータ等の電子機器に於いては、アンテナからの不要電波輻射等を十分に考慮したＥＭＩ（Ｅｌｅｃｔｒｏｍａｇｎｅｔｉｃ  Ｉｎｔｅｒｆｅｒｅｎｃｅ）対策が必要となる。特に、無線通信アンテナを固定して設けた（標準装備した）システムに於いては、内部の処理動作に影響を及ぼすような不要電磁波の放射並びに入射を抑止するための防護手段を講じる必要がある。
【０００４】
近年、携行が容易なパーソナルコンピュータに於いては、Ｂｌｕｅｔｏｏｔｈ、ワイヤレスＬＡＮ等の無線機能部を標準装備し、若しくはオプションで装備可能としている。
【０００５】
この種電子機器に於いて、アンテナ素子を定位置に配し、当該アンテナを用いる無線ユニットを収納部内に収納自在な構成とした際、未使用状態にあるアンテナを介して不要電磁波が放射されたり、アンテナから入射された不要電磁波が内部回路の動作に悪影響を及ぼしたりする不都合を回避するための物理的、電磁的な管理手段が必要とされる。
【０００６】
【発明が解決しようとする課題】
上記したように、パーソナルコンピュータ、携帯型情報端末等の電子機器に於いて、アンテナ素子を定位置に配し、当該アンテナを用いる無線ユニットを収納部内に収納自在な構成とした際、未使用状態にあるアンテナを介して不要電磁波が放射されたり、アンテナから入射された不要電磁波が内部回路の動作に悪影響を及ぼしたりする不都合を回避するためのＥＭＩ対策を考慮した物理的、電磁的な管理手段が必要とされる。従来ではこれらの対策について実用性の高い有効な手段が存在しなかった。
【０００７】
本発明は上記実情に鑑みなされたもので、パーソナルコンピュータ、携帯型情報端末等の電子機器に於いて、アンテナ素子を定位置に配し、当該アンテナを用いる無線ユニットを収納部内に収納自在な構成とした際に、未使用状態にあるアンテナを介して不要電磁波が放射されたり、アンテナから入射された不要電磁波が内部回路の動作に悪影響を及ぼしたりする不都合を回避して、アンテナの使用、未使用に拘わらず常に安定した機器動作が維持できるとともに、無線通信機能の選択的な実装及び実装解除を含むシステムカスタマイズ機構を容易に実現できる電子機器を提供することを目的とする。
【０００８】
【課題を解決するための手段】
本発明は、アンテナ素子を定位置に配し、当該アンテナを用いる、例えばＢｌｕｅｔｏｏｔｈ、ワイヤレスＬＡＮ等の無線ユニットを収納部内に収納自在な構成としたパーソナルコンピュータ、携帯型情報端末等の電子機器に於いて、上記収納部内に導かれたアンテナケーブルの端部に設けられた接続端子を上記収納部内に於いてシールドガスケット（アンテナリード保持部）に埋め込んだ状態で定位置に保持して、アンテナリードの物理的、電気的な不安定状態下に於けるアンテナを介した不要電磁波の放射、並びにアンテナから入射された不要電磁波の内部回路への悪影響等の不都合を回避し、更に上記シールドガスケットを介して、アンテナリード並びにアンテナ素子を接地電位（グランドレベル；ＧＮＤ）にすることで、より信頼性の高いＥＭＩ対策を図ったことを特徴とする。
【００１７】
上記したように、本発明によれば、アンテナ素子を定位置に配し、当該アンテナを用いる、例えばＢｌｕｅｔｏｏｔｈ、ワイヤレスＬＡＮ等の無線ユニットを収納部内に収納自在な構成としたパーソナルコンピュータ、携帯型情報端末等の電子機器に於いて、上記収納部内に導かれたアンテナケーブル及びその端部に設けられた接続端子を上記収納部内に於いてシールドガスケット（アンテナリード保持部）に埋め込んだ状態で定位置に保持する構成としたことにより、アンテナリードの物理的、電気的な不安定状態下に於けるアンテナを介した不要電磁波の放射、並びにアンテナから入射された外来不要電磁波の内部回路への悪影響等の不都合を回避し、更に上記シールドガスケットを介して、アンテナリード並びにアンテナ素子を接地電位（グランドレベル；ＧＮＤ）にすることで、より信頼性の高いＥＭＩ対策を施した装置が提供できる。
【００１８】
【発明の実施の形態】
以下図面を参照して本発明の実施形態を説明する。ここでは本体に回動可能に蓋体を設けてなるパーソナルコンピュータを例に本発明の実施形態を説明する。
【００１９】
図１及び図２はそれぞれ本発明の一実施形態に於けるパーソナルコンピュータの外観構成を示すもので、図１は表面の斜視図、図２は一部を分解して示す裏面の斜視図である。
【００２０】
図に於いて、１はパーソナルコンピュータの本体、２は当該本体１の背面側を支点に回動自在に設けられた蓋体をなす表示部筐体である。本体１には図示しないがＣＰＵ及びその周辺回路部、ハードディスク装置、ＤＶＤドライブ等を含む各種の入出力機器等が内蔵され、上面部に、キーボード、インジケータ、操作釦等が設けられる。
【００２１】
表示部筐体２には、開放状態で露出する液晶ディスプレイパネルが内蔵されるとともに、ここでは当該筐体内の自由端側に、Ｂｌｕｅｔｏｏｔｈ用のアンテナ素子２１、及びワイヤレスＬＡＮ用のダイバーシティアンテナを構成する２個のアンテナ素子２２，２３が設けられる。
【００２２】
これらの各アンテナ素子２１，２２，２３には同軸ケーブルを用いたアンテナリード２４，２５，２６の一端が接続される。当該アンテナリード２４，２５，２６の他端は本体１に設けられた無線ユニット収納部１１の内部に導かれ、それぞれ端部に回路基板接続用の端子２７，２８，２９が設けられる。
【００２３】
上記無線ユニット収納部１１は、本体１の底面を開口して形成された室１１ａと、その室１１ａの開口を塞ぐ蓋体１１ｂとにより構成される。ここでは、上記無線ユニット収納部１１に、Ｂｌｕｅｔｏｏｔｈ用の無線ユニット（回路基板）１２が標準実装され、ワイヤレスＬＡＮ用の無線ユニット（回路基板）１３がオプション機器として必要に応じて実装される。
【００２４】
更に上記無線ユニット収納部１１内には、上記ワイヤレスＬＡＮ用無線ユニット１３が実装されない際に、ワイヤレスＬＡＮ用無線ユニット１３に回路接続されるアンテナリード２５，２６の他端に設けられた回路基板接続用端子２８，２９を無線ユニット収納部１１内の定位置に筐体の接地電位（グランドレベル；ＧＮＤ）を保って保持する、例えば導電性ゴム等の可撓性導電部材を用いて構成されたアンテナリード保持部をなすシールドガスケット１５が設けられる。
【００２５】
上記無線ユニット収納部１１内に導かれたアンテナリード２４，２５，２６のうち、Ｂｌｕｅｔｏｏｔｈ用アンテナ素子２１のアンテナリード２４は回路基板接続用の端子２７を介して上記無線ユニット収納部１１内に標準実装されたＢｌｕｅｔｏｏｔｈ用無線ユニット１２のアンテナ入力端子に回路接続される。
【００２６】
また、ワイヤレスＬＡＮ用アンテナ素子２２，２３のアンテナリード２５，２６は、無線ユニット収納部１１にワイヤレスＬＡＮ用無線ユニット１３が実装された状態では端子２８，２９を介してワイヤレスＬＡＮ用無線ユニット１３のアンテナ入力端子に回路接続され、ワイヤレスＬＡＮ用無線ユニット１３が実装されない状態では無線ユニット収納部１１内に導かれたアンテナリード２５，２６及び端子２８，２９がアンテナリード保持部をなすシールドガスケット１５に埋め込まれた状態で筐体の接地電位（グランドレベル）を保って保持される。
【００２７】
図３は上記無線ユニット収納部１１の要部の構成を示す斜視図であり、ここでは、ワイヤレスＬＡＮ用の無線ユニット１３を構成する回路基板に設けられた端子部が無線ユニット収納部１１内の一側壁部に設けられた所定量回動可能（フリー状態で脱着可能）なコネクタ１６にコネクタ接続され、ロック機構１７により室１１ａ内の定位置にロックされることによって、ワイヤレスＬＡＮ用の無線ユニット（回路基板）１３が無線ユニット収納部１１に収納され実装される。
【００２８】
また、上記無線ユニット収納部１１にワイヤレスＬＡＮ用の無線ユニット（回路基板）１３を実装しない際は、ワイヤレスＬＡＮ用アンテナ素子２２，２３のアンテナリード２５，２６に設けられた回路基板接続用の端子２８，２９をアンテナリード保持部をなすシールドガスケット１５の保持溝１５ａ，１５ｂに嵌め込み、蓋体１１ｂを閉じることによって、無線ユニット収納部１１内に導かれたアンテナリード２５，２６及び端子２８，２９がシールドガスケット１５に埋め込まれた状態で無線ユニット収納部１１内の定位置に保持され、かつ可撓性導電部材を用いて構成されたシールドガスケット１５を介してアンテナリード２５，２６が筐体の接地電位（グランドレベル）に保たれる。
【００２９】
この際のアンテナリード２５，２６及び端子２８，２９が接地電位（グランドレベル）に保たれた状態でシールドガスケット１５に埋め込まれて保持された状態を図４及び図５に示している。図４及び図５に於いて、１８は無線ユニット収納部１１を構成する室１１ａ内の電気的に接地（ＧＮＤ）電位にある筐体部である。
【００３０】
この無線ユニット収納部１１を構成する室１１ａ内の筐体部１８上に、アンテナリード保持部をなすシールドガスケット１５が例えば導電性接着剤により導電性を保った状態で接着され室１１ａ内の予め定められた位置に固定配置される。
【００３１】
上記無線ユニット収納部１１内に於いて、シールドガスケット１５の保持溝１５ａ，１５ｂに無線ユニット収納部１１内のアンテナリード２５，２６及び端子２８，２９を嵌め込み、蓋体１１ｂを閉じることによって、無線ユニット収納部１１内のアンテナリード２５，２６及び端子２８，２９が筐体の接地電位（グランドレベル）に保たれシールドガスケット１５に埋め込まれた状態で保持される。
【００３２】
このように、無線ユニット収納部１１に、ワイヤレスＬＡＮ用の無線ユニット１３が実装されない際は、ワイヤレスＬＡＮ用アンテナ素子２２，２３のアンテナリード２５，２６に設けられた端子２８，２９がアンテナリード保持部をなすシールドガスケット１５により無線ユニット収納部１１内の定位置に保持され、かつ筐体の接地電位（グランドレベル）に保たれることにより、アンテナリードの物理的、電気的な不安定状態下に於けるアンテナ素子２２，２３を介した不要電磁波の放射、並びにアンテナ素子２２，２３から入射された不要電磁波の内部回路への悪影響等の不都合を確実に回避でき、信頼性の高いＥＭＩ対策を施すことができる。
【００３３】
更に、無線ユニット収納部１１内に導かれたアンテナリード２５，２６及び端子２８，２９がシールドガスケット１５に埋め込まれた状態で無線ユニット収納部１１内の定位置に保持されることによって、Ｂｌｕｅｔｏｏｔｈ用の無線ユニット（回路基板）１２を用いた高周波回路と、ワイヤレスＬＡＮ用の無線ユニット（回路基板）１３を用いた高周波回路との間に於ける高周波信号の干渉、又はこれらの高周波回路を含めた内部高周波回路間の高周波信号の干渉等を防ぐことができる。
【００３４】
図６は本発明の他の実施形態に於けるアンテナリード保持部の構成例及びアンテナリード２５，２６に設けられた端子２８，２９の保持状態例を示したもので、ここでは、アンテナリード保持部をなすシールドガスケット１５Ｂにより、端子２８，２９を保持するのではなく、アンテナリード２５，２６を無線ユニット収納部１１内の定位置に保持している。
【００３５】
このような構成に於いてもアンテナリード２５，２６を無線ユニット収納部１１内の定められた一に固定しておくことができるため、アンテナ素子２２，２３を介した不要電磁波の放射、並びにアンテナ素子２２，２３から入射された不要電磁波の内部回路への悪影響等の不都合を確実に回避でき、更にその際、端子２８，２９を導電部材でなる設置電位にあるシールドガスケット１５Ｂに接触させて保持することにより、アンテナ素子２２，２３、及びアンテナリード２５，２６を筐体の接地電位に保つことができ、これによりアンテナ素子２２，２３からの不要電磁波の放射、並びにアンテナ素子２２，２３から入射された不要電磁波の内部回路への悪影響等の不都合を確実に回避して、信頼性の高いＥＭＩ対策を施すことができる。
【００３６】
尚、上記した実施形態に於ける、アンテナリード保持部（シールドガスケット１５）は、導電性ゴム等の可撓性導電部材以外に、例えば金属箔皮膜を施した弾性部材を用いてなる構成、若しくは端子２８，２９の周囲をシールド被覆するポケット構成等、他の構成に於いても実現可能である。また、無線ユニット収納部１１に収納する無線ユニットもＢｌｕｅｔｏｏｔｈ用の無線ユニット（回路基板）１２と、ワイヤレスＬＡＮ用の無線ユニット（回路基板）１３とに限らず、例えばそのいずれか一方の無線ユニット、又はその他の無線機器類であってもよい。また、上記実施形態に於いては回動自在な表示部筐体をもつパーソナルコンピュータを例に示したが、これに限らず、例えばスライド蓋の開放端側にアンテナ素子を有して無線機器を使用可能にしたプロセッサ搭載機器、若しくは折り畳み式のプロセッサ搭載携帯端末等、各種の電子機器に適用可能である。
【００３７】
【発明の効果】
以上詳記したように本発明によれば、未使用状態にあるアンテナを介して不要電磁波が放射されたり、アンテナから入射された不要電磁波が内部回路の動作に悪影響を及ぼしたりする不都合を回避して、アンテナの使用、未使用に拘わらず常に安定した機器動作が維持できるとともに、信頼性の高いＥＭＩ対策を施すことができ、更に無線通信機能の選択的な実装及び実装解除を含むシステムカスタマイズ機構を容易に実現できる電子機器が提供できる。
【図面の簡単な説明】
【図１】本発明の実施形態に於けるパーソナルコンピュータの外観構成を示す表面の斜視図。
【図２】本発明の実施形態に於けるパーソナルコンピュータの外観構成を一部を分解して示す裏面の斜視図。
【図３】上記実施形態に於ける無線ユニット収納部の要部の構成を示す斜視図。
【図４】上記実施形態に於けるアンテナリード及び端子が接地電位に保たれた状態でシールドガスケットに埋め込まれて保持された状態を示す側断面図。
【図５】上記実施形態に於けるアンテナリード及び端子が接地電位に保たれた状態でシールドガスケットに埋め込まれて保持された状態を示す側断面図。
【図６】本発明の他の実施形態に於けるアンテナリード保持部の構成例及びアンテナリードに設けられた端子の保持状態例を示す斜視図。
【符号の説明】
１…本体
２…表示部筐体（蓋体）
１１…無線ユニット収納部
室１１ａ
蓋体１１ｂ
１２…Ｂｌｕｅｔｏｏｔｈ用の無線ユニット（回路基板）
１３…ワイヤレスＬＡＮ用の無線ユニット（回路基板）
１５，１５Ｂ…シールドガスケット（アンテナリード保持部）
１５ａ，１５ｂ…シールドガスケットの保持溝
１６…コネクタ
１７…ロック機構
１８…筐体部
２１，２２，２３…アンテナ素子
２４，２５，２６…アンテナリード
２７，２８，２９…回路基板接続用端子
【図１】
0003629211.tif 000002
【図２】
0003629211.tif 000003
【図３】
0003629211.tif 000004
【図４】
0003629211.tif 000005
【図５】
0003629211.tif 000006
【図６】
0003629211.tif 000007